(57)【要約】本発明は、個人情報機器で無線ＬＡＮと無線広域網間のシームレス垂直ローミングを制御する方法およびプログラム記録媒体に関するものである。
2007520903.tif 000002
【特許請求の範囲】
【請求項１】
無線モデムおよび無線ＬＡＮ（ＷＬＡＮ）装置が搭載された個人情報機器においてシームレス垂直ローミングを制御する方法において、
ＤＨＣＰ（Ｄｙｎａｍｉｃ  Ｈｏｓｔ  Ｃｏｎｆｉｇｕｒａｔｉｏｎ  Ｐｒｏｔｏｃｏｌ）クライアントを利用して、接続可能な無線ＬＡＮ内の外部代行者（ＦＡ：Ｆｏｒｅｉｇｎ  Ａｇｅｎｔ）からＩＰアドレスを割り当てられる段階 − 前記ＩＰアドレスは物理階層上に設定されたフィルターに格納され、前記ＦＡによって、現在接続中の無線ＬＡＮのＤＮＳ（Ｄｏｍａｉｎ  Ｎａｍｅ  Ｓｅｒｖｅｒ）に登録される -と；
前記ＦＡにモバイルＩＰ（Ｍｏｂｉｌｅ  ＩＰ；ＭＩＰ）要請メッセージを伝送する段階と；
前記ＦＡからＭＩＰ通知メッセージを受信する段階と；
前記ＦＡにＭＩＰ登録要請メッセージを伝送する段階 − 前記ＦＡはホームエージェント（ＨＡ：Ｈｏｍｅ  Ａｇｅｎｔ）に前記ＭＩＰ登録要請メッセージを伝達し、前記ＨＡから第１ＭＩＰ住所を受信する − と；
前記ＦＡから前記第１ＭＩＰ住所を受信する段階 − 前記第１ＭＩＰ住所は前記フィルターに格納され、前記ＦＡは前記第１ＭＩＰ住所を前記ＨＡに登録する − と；
前記個人情報機器が前記無線ＬＡＮ地域（Ｈｏｔ  ｓｐｏｔ）を離脱したかを判断する段階と；
前記判断結果、前記無線ＬＡＮ地域を離脱したら、前記無線ＬＡＮ装置の駆動を終了すると同時に前記無線モデムの電話接続ネットワーキングを利用して無線網ＬＡＮ内のＰＤＳＮ（Ｐａｃｋｅｔ  Ｄａｔａ  Ｓｅｒｖｉｎｇ  Ｎｏｄｅ）とＰＰＰ（Ｐｏｉｎｔ−ｔｏ−Ｐｏｉｎｔ  Ｐｒｏｔｏｃｏｌ）セションを連結する段階と；
前記ＰＤＳＮから第２ＭＩＰ住所を受信する段階 − 前記第２ＭＩＰ住所は前記第１ＭＩＰ住所に相応して前記ＨＡによって割り当てられて前記フィルターに格納され、前記ＰＤＳＮは前記第２ＭＩＰ住所を前記ＨＡに登録する − と；
を含む無線モデムと無線ＬＡＮ装置間のシームレス垂直ローミング制御方法。
【請求項２】
前記フィルターは、前記無線モデムおよび前記無線ＬＡＮ装置を統合して駆動する制御クライアントプログラムによって設定されることを特徴とする、請求項１に記載の無線モデムと無線ＬＡＮ装置間のシームレス垂直ローミング制御方法。
【請求項３】
前記フィルターは、前記物理階層と前記物理階層上の上位階層との間で、前記ＦＡまたは前記ＰＤＳＮと前記個人情報機器との間で送受信されるデータパケットまたはＩＰパケットのヘッダー部分を制御することを特徴とする、請求項２に記載の無線モデムと無線ＬＡＮ装置間のシームレス垂直ローミング制御方法。
【請求項４】
前記フィルターは、前記物理階層の上に設定された無線ＬＡＮフィルターおよびＭＩＰフィルターを含むことを特徴とする、請求項３に記載の無線モデムと無線ＬＡＮ装置間のシームレス垂直ローミング制御方法。
【請求項５】
前記ＦＡまたは前記ＰＤＳＮが、前記ＭＩＰ登録要請メッセージ受信する時、ＡＡＡまたはＡＡＡｈに接近認証を要請してそれに対する応答を受ける段階をさらに含むことを特徴とする、請求項１に記載の無線モデムと無線ＬＡＮ装置間のシームレス垂直ローミング制御方法。
【請求項６】
無線モデムおよび無線ＬＡＮ装置が搭載された個人情報機器においてシームレス垂直ローミングを制御する方法において、
電話接続ネットワーキングを利用して無線網内のＰＤＳＮとのＰＰＰセションを確立する段階と；
前記ＰＤＳＮからホームエージェント（ＨＡ：Ｈｏｍｅ  Ａｇｅｎｔ）通知メッセージを受信する段階と；
前記ＰＤＳＮにモバイルＩＰ（Ｍｏｂｉｌｅ  Ｉｎｔｅｒｎｅｔ  Ｐｒｏｔｏｃｏｌ；ＭＩＰ）登録要請メッセージを伝送する段階 − 前記ＭＩＰ登録要請メッセージは外部ＡＡＡ（ＡＡＡｆ）および内部ＡＡＡ（ＡＡＡｈ）を通じて前記ＨＡに伝達される − と；
前記ＰＤＳＮから前記ＭＩＰ登録応答メッセージを受信する段階 − 前記ＭＩＰ登録応答メッセージは前記ＨＡによって割り当てられた第１ＭＩＰ住所を含み、前記第１ＭＩＰ住所は物理階層上に設定されたフィルターに格納され、前記ＰＤＳＮは前記第１ＭＩＰ住所を前記ＨＡに登録する − と；
前記無線網接続状態で、前記個人情報機器が無線ＬＡＮ地域（Ｈｏｔ  ｓｐｏｔ）にあるかを判断する段階と；
前記判断結果、前記個人情報機器が無線ＬＡＮのサービス地域にあると、前記無線モデムの駆動を終了すると同時に前記無線ＬＡＮ装置のＤＨＣＰ（Ｄｙｎａｍｉｃ  Ｈｏｓｔ  Ｃｏｎｆｉｇｕｒａｔｉｏｎ  Ｐｒｏｔｏｃｏｌ）クライアントを利用して前記無線ＬＡＮ内の外部代行者（ＦＡ：Ｆｏｒｅｉｇｎ  Ａｇｅｎｔ）から使用可能なＩＰアドレスを割り当てられる段階 − 前記ＩＰアドレスは前記フィルターに格納され、前記ＦＡによって現在接続中の無線ＬＡＮのＤＮＳ（Ｄｏｍａｉｎ  Ｎａｍｅ  Ｓｅｒｖｅｒ）に登録される − と；
前記ＦＡから第２ＭＩＰ住所を受信する段階 − 前記第２ＭＩＰ住所は前記第１ＭＩＰ住所に相応して前記ＨＡによって割り当てられて前記フィルターに格納され、前記ＦＡは前記第２ＭＩＰ住所を前記ＨＡに登録する − と；
を含む無線モデムと無線ＬＡＮ装置間のシームレス垂直ローミング制御方法。
【請求項７】
前記フィルターは、前記無線モデムおよび前記無線ＬＡＮ装置を統合して駆動する制御クライアントプログラムによって設定されることを特徴とする、請求項６に記載の無線モデムと無線ＬＡＮ装置間のシームレス垂直ローミング制御方法。
【請求項８】
前記フィルターは、前記物理階層と前記物理階層上の上位階層との間で、前記ＦＡまたは前記ＰＤＳＮと前記個人情報機器との間で送受信されるデータパケットまたはＩＰパケットのヘッダー部分を制御することを特徴とする、請求項７に記載の無線モデムと無線ＬＡＮ装置間のシームレス垂直ローミング制御方法。
【請求項９】
前記フィルターは、前記物理階層上に設定された無線ＬＡＮフィルターおよびＭＩＰフィルターを含むことを特徴とする、請求項８に記載の無線モデムと無線ＬＡＮ装置間のシームレス垂直ローミング制御方法。
【請求項１０】
前記ＦＡまたは前記ＰＤＳＮは、前記ＭＩＰ登録要請メッセージを受信する時、ＡＡＡまたはＡＡＡｈに接近認証を要請し、それに対する応答を受ける段階をさらに含むことを特徴とする、請求項６に記載の無線モデムと無線ＬＡＮ装置間のシームレス垂直ローミング制御方法。
【請求項１１】
無線網と無線ＬＡＮ間の自動シームレスローミングを実行するために、無線モデムと無線ＬＡＮ装置を統合して駆動するコンピュータ実行可能の制御クライアントプログラムが記録されたコンピュータ可読型記録媒体において、前記制御クライアントプログラムは、
ＤＨＣＰ（Ｄｙｎａｍｉｃ  Ｈｏｓｔ  Ｃｏｎｆｉｇｕｒａｔｉｏｎ  Ｐｒｏｔｏｃｏｌ）クライアントを利用して、接続可能な無線ＬＡＮ内の外部代行者（ＦＡ：Ｆｏｒｅｉｇｎ  Ａｇｅｎｔ）からＩＰアドレスを割り当てられ − 前記ＩＰアドレスは物理階層上に設定されたフィルターに格納され、前記ＦＡによって、現在接続中の無線ＬＡＮのＤＮＳ（Ｄｏｍａｉｎ  Ｎａｍｅ  Ｓｅｒｖｅｒ）に登録される −；
前記ＦＡにモバイルＩＰ（Ｍｏｂｉｌｅ  ＩＰ；ＭＩＰ）要請メッセージを伝送し；
前記ＦＡからＭＩＰ通知メッセージを受信し；
前記ＦＡにＭＩＰ登録要請メッセージを伝送する段階 − 前記ＦＡはホームエージェント（ＨＡ：Ｈｏｍｅ  Ａｇｅｎｔ）に前記ＭＩＰ登録要請メッセージを伝達し、前記ＨＡから第１ＭＩＰ住所を受信する −；
前記ＦＡから前記第１ＭＩＰ住所を受信し − 前記第１ＭＩＰ住所は前記フィルターに格納され、前記ＦＡは前記第１ＭＩＰ住所を前記ＨＡに登録する −；
前記個人情報機器が前記無線ＬＡＮ地域（Ｈｏｔ  ｓｐｏｔ）を離脱したかを判断し；
前記判断結果、前記無線ＬＡＮ地域を離脱したら、前記無線ＬＡＮ装置の駆動を終了すると同時に前記無線モデムの電話接続ネットワーキングを利用して無線網ＬＡＮ内のＰＤＳＮ（Ｐａｃｋｅｔ  Ｄａｔａ  Ｓｅｒｖｉｎｇ  Ｎｏｄｅ）とＰＰＰ（Ｐｏｉｎｔ−ｔｏ−Ｐｏｉｎｔ  Ｐｒｏｔｏｃｏｌ）セションを連結し；
前記ＰＤＳＮから第２ＭＩＰ住所を受信し − 前記第２ＭＩＰ住所は前記第１ＭＩＰ住所に相応して前記ＨＡによって割り当てられて前記フィルターに格納され、前記ＰＤＳＮは前記第２ＭＩＰ住所を前記ＨＡに登録する −；
一連の過程を実行させるための制御クライアントプログラムが記録されたコンピュータ可読型記録媒体。
【請求項１２】
無線網と無線ＬＡＮ間の自動シームレスローミングを実行するために、無線モデムと無線ＬＡＮ装置を統合して駆動するコンピュータ実行可能の制御クライアントプログラムが記録されたコンピュータ可読の記録媒体において、
電話接続ネットワーキングを利用して無線網内のＰＤＳＮとのＰＰＰセションを確立する段階と；
前記ＰＤＳＮからホームエージェント（ＨＡ：Ｈｏｍｅ  Ａｇｅｎｔ）通知メッセージを受信し；
前記ＰＤＳＮにモバイルＩＰ（Ｍｏｂｉｌｅ  Ｉｎｔｅｒｎｅｔ  Ｐｒｏｔｏｃｏｌ；ＭＩＰ）登録要請メッセージを伝送し − 前記ＭＩＰ登録要請メッセージは外部ＡＡＡ（ＡＡＡｆ）および内部ＡＡＡ（ＡＡＡｈ）を通じて前記ＨＡに伝達される −；
前記ＰＤＳＮから前記ＭＩＰ登録応答メッセージを受信し − 前記ＭＩＰ登録応答メッセージは前記ＨＡによって割り当てられた第１ＭＩＰ住所を含み、前記第１ＭＩＰ住所は物理階層上に設定されたフィルターに格納され、前記ＰＤＳＮは前記第１ＭＩＰ住所を前記ＨＡに登録する −；
前記無線網接続状態で、前記個人情報機器が無線ＬＡＮ地域（Ｈｏｔ  ｓｐｏｔ）にあるかを判断し；
前記判断結果、前記個人情報機器が無線ＬＡＮのサービス地域にあると、前記無線モデムの駆動を終了すると同時に前記無線ＬＡＮ装置のＤＨＣＰ（Ｄｙｎａｍｉｃ  Ｈｏｓｔ  Ｃｏｎｆｉｇｕｒａｔｉｏｎ  Ｐｒｏｔｏｃｏｌ）クライアントを利用して前記無線ＬＡＮ内の外部代行者（ＦＡ：Ｆｏｒｅｉｇｎ  Ａｇｅｎｔ）から使用可能なＩＰアドレスを割り当てられ − 前記ＩＰアドレスは前記フィルターに格納され、前記ＦＡによって現在接続中の無線ＬＡＮのＤＮＳ（Ｄｏｍａｉｎ  Ｎａｍｅ  Ｓｅｒｖｅｒ）に登録される −；
前記ＦＡから第２ＭＩＰ住所を受信し − 前記第２ＭＩＰ住所は前記第１ＭＩＰ住所に相応して前記ＨＡによって割り当てられて前記フィルターに格納され、前記ＦＡは前記第２ＭＩＰ住所を前記ＨＡに登録する −；
一連の過程を実行させるための制御クライアントプログラムが記録されたコンピュータ可読型記録媒体。
【発明の詳細な説明】
【技術分野】
【０００１】
本発明は移動通信モデムおよび無線ＬＡＮ装置が搭載された個人情報機器において一つの制御プログラムを利用してシームレス垂直ローミングができるようにする個人情報機器におけるシームレス垂直ローミング制御方法およびプログラムを記録した記録媒体に関するものである。
【背景技術】
【０００２】
この頃、無線インターネットの移動性と便利さによって無線インターネット使用者が次第に増えている趨勢である。特に、無線ソリューションを利用したインターネットの場合には、空間の制約がなく、移動しながら使用することができる利点のため、成長可能性が高いと言える。現在、最も多く使用される方法は、移動通信網を用いる方法と無線ＬＡＮを用いる方法に分類することができる。この二つの方法は利点および欠点があるが、移動通信網は全国的なカバレッジを持っているが、利用価格が高い。一方、無線ＬＡＮの場合には、利用価格は安いが、カバレッジが限定されている。
【０００３】
このような限界を克服するために、ノートブック、ＰＤＡなどの携帯情報端末機にＣＤＭＡ移動通信モデムを具備した携帯電話、または無線ＬＡＮカードを装着したネットワーク接続装置などの個人通信機器を結合して、無線データを使いながら地域では無線ＬＡＮを使用するサービスが台頭している。このようなサービスを提供するための従来の‘無線ＬＡＮと無線広域網間の自動のシームレス垂直ローミング’を図１、図２および図３を参照して説明する。
【０００４】
図１は従来の無線広域網（ＷＷＡＮ）、無線ＬＡＮ（ＷＬＡＮ）および無線個人補助ネットワーク（ＷＰＡＮ）間の論理的連結の自動転換としてのシームレス垂直ローミング（ＳＶＲ）を概略的に示す図である。
【０００５】
図１を参照すれば、従来のシームレス垂直ローミング方法は、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）／ＧＰＲＳ（Ｇｅｎｅｒａｌ  Ｐａｃｋｅｔ  Ｒａｄｉｏ  Ｓｅｒｖｉｃｅ）と無線ＬＡＮ間のローミングを提供する。また、前述した従来の方法は、無線ＬＡＮにおいて、ＶｏＩＰを利用して音声呼に対して無線ＬＡＮとＧＳＭ／ＧＰＲＳとのシームレスローミングを提供する。また、前述した従来の方法は、無線ＬＡＮの信号強度を用いて無線ＬＡＮ地域を判断し、無線ＬＡＮ地域内にある時、自動的にデータ接続できるように構成される。
【０００６】
前述した従来の方法において、無線広域網は、広範囲な幾何学的地域にわたって互いに無線で連結された移動通信装置とネットワーク装置を含む。また、無線広域網はセルラーデジタルパケット（ＣＤＰＤ）、グローバルモバイルシステム（ＧＳＭ）、一般のパケット無線サービス（ＧＰＲＳ）などを含む。
【０００７】
また、従来の方法において、無線ＬＡＮは有線の地域を拡張するために使用されるかまたは代替的で柔軟性あるデータ通信システムである。また、無線ＬＡＮは、無線周波数（ＲＦ）技術を利用して空中を通じてデータを送受信し、有線連結の必要性を最小化している。また、無線ＬＡＮは、データ連結性を使用者の移動性と組み合わせる。このために、従来の無線ＬＡＮの構成においては、送信機、受信機または送受信機のアクセスポイントが、有線ネットワーク内で、標準ケーブルを利用して固定された地域を連結するように構成される。アクセスポイントは、無線ＬＡＮと有線ネットワークとの間でデータを最小限に受信してバッファリングして伝送する。
【０００８】
また、従来の方法において、ＷＰＡＮはブルートゥース（Ｂｌｕｅ  Ｔｏｏｔｈ）ネットワークを参照する。エンドユーザー（Ｅｎｄ  Ｕｓｅｒ）は、無線ＬＡＮアダプダを通じて無線ＬＡＮに接近する。無線ＬＡＮアダプダは、ノートブックまたはパームトップコンピュータ内にカード形態として搭載される。パームトップコンピュータおよびデスクトップコンピュータはポケット用コンピュータに集積されることができる。無線ＬＡＮアダプダは、アンテナを通じてクライアントネットワーク運営体系（ＯＳ）と空中との間にインターフェースを提供する。無線連結は、ネットワーク運営体系にその存在を意識しないで利用可能な性質を言う透明性（ｔｒａｎｓｐａｒｅｎｔ）を含む。
【０００９】
図２は従来の無線広域網の一例を示す図である。
【００１０】
図２を参照すれば、従来の無線広域網内のアクセスポイント１０１は、ビルと共用空間内の複数のＷＬＡＮ１０３に無線でリンクされる。ゲートウェイ１０５は、アクセスポイント１０１をＩＳＤＮ１０７、ＰＳＴＮ１０９などの空中波とモバイルスイッチングセンターゲートウェイ１１３を経由するかまたはインターネット１１１を介してＧＳＭ／ＧＰＲＳネットワーク１１５に結合される。
【００１１】
また、従来の無線広域網において、核心ネットワーク１１５はトラフィックを構成し、それをネットワークにロードするための作動維持センター１１７を含む。また、核心ネットワーク１１５は、ホーム位置レジスタ（ＨＬＲ）１１９、訪問者位置レジスタ（ＶＬＲ）１２１、認証センター（ＡＣ）１２３を含む。認証センター１２３は、ローミング（ｒｏａｍｉｎｇ）、支払いおよびネットワーク保安を実行するための情報を格納する。モバイルスイッチングセンターゲートウェイ１１３に連結されたモバイルスイッチングセンター１２５は基地局１２７、１２９に連結される。各基地局１２７、１２９は少なくとも一つのアンテナ１３１、１３３、１３５に連結される。アンテナ１３１、１３３、１３５は、広帯域モバイルインターネットアクセスを提供するために、多様な無線ＰＤＡ、スマートフォンのような移動通信装置１３７、１３９、１４１に結合される。各移動通信装置は、ＷＷＡＮおよびＷＬＡＮ識別用に使用される共通の加入者識別モジュール（ＳＩＭ）と支払い情報の交差参照を許容する手段（図示せず）を含む。また、従来の無線広域網は、ＧＰＲＳ支援ノード（ＳＧＳＮ）として寄与するパケット制御ユニットと、ゲートウェイＧＰＲＳ支援ノード（ＧＧＳＮ）１４５は標準ＧＳＭネットワーク上でＧＰＲＳ通信を支援する支援ノード（ＳＧＳＮ）１４７とを含む。
【００１２】
また、従来の移動通信装置１３７、１３９、１４１はポータブルデュアルモード無線装置を含む。ポータブルデュアルモード無線装置は、ネットワークを介して測定された信号の強度によって、使用者がアクセスポイントを介してＷＬＡＮおよびアンテナのいずれか一つを通じてＷＷＡＮと通信し得るように設定される。また、デュアルモード無線装置は、ブルートゥース使用者と通信し得るように構成されることができる。
【００１３】
図３は従来のシームレス垂直ローミング手順を説明するための図である。
【００１４】
図３を参照すれば、無線広域網から無線ＬＡＮへのシームレス垂直ローミングは、まず、ＷＷＡＮ無線装置１５２と移動通信装置１５５との間に呼び出しが開始されることにより準備される。デュアルモード無線装置１５１のサブシステムがローミングを要請すれば、ＷＬＡＮ無線装置１５３は、ＷＬＡＮゲートウェイ１５７、交換器（ＭＳＣ）１５９、１６１、基地局制御機（ＢＳＣ）１６３、および基地局（ＢＴＳ）１６５を通じてＷＷＡＮ無線装置１５２に規則的な呼び出しを伝送する。
【００１５】
ついで、ＷＷＡＮ無線装置１５２は呼び出し待機を認識し、現在の連結に承認することにより、自動的にその呼び出しを受け入れる。その後、ＷＬＡＮ無線装置１５３は、移動通信装置１５５とＷＷＡＮ無線装置１５２間のトラフィックに連結される。すると、デュアルモード無線装置１５１は、それを確認してからＷＷＡＮ無線装置１５３の連結を解除する。一方、ＷＬＡＮゲートウェイ１５７は、ＷＬＡＮ無線装置１５３の連結が解除される時、それが接続可能な状態であれば、その状態をずっと維持する。
【００１６】
一方、最近のＩＭＴ−２０００などの通信網では、インターネットサービスのために、既存のＩＰ（Ｓｉｍｐｌｅ  ＩＰ）とモバイルＩＰ（Ｍｏｂｉｌｅ  ＩＰ）を収容するサービスを提供する。既存のＩＰを利用するネットワーク接続サービスは、移動加入者が一つの基地局領域の固定された場所でＰＤＳＮ（ＦＡ）またはＡＡＡサーバーを通じて既存のＩＰアドレスを割り当てられ、その一時ＩＰアドレスを利用してインターネットまたは私設網に接続することになる。私設網に接続するためには、移動通信装置はＶＰＮ（Ｖｉｒｔｕａｌ  Ｐｒｉｖａｔｅ  Ｎｅｔｗｏｒｋ）ソフトウェアを搭載して運用しなければならない。
【００１７】
モバイルＩＰを利用するネットワーク接続サービス（モバイルＩＰサービス）は、移動通信装置が移動する時にも連結を維持した状態でデータを送受信することができるようにし、移動通信装置の位置に構わず、移動通信装置が内部的に同一ＩＰアドレスを保有し、移動通信装置の位置情報データを管理する。すなわち、モバイルＩＰサービスは、内部代行者（Ｈｏｍｅ  Ａｇｅｎｔ；ＨＡ）に登録されているＩＰアドレスを利用して、ほかの地域でも同一ＩＰアドレスを利用し得るようにすることにより、ホーム地域と同一のサービスを絶え間なく持続的に受けるようになったサービスを言う。このようなモバイルＩＰについて、図４および図５を参照して説明する。
【００１８】
図４はモバイルＩＰでのデータの伝送および認証手順を示す図である。
【００１９】
図４を参照すれば、モバイルノード（ＭＮ）がほかのネットワークに移動して外部代行者（Ｆｏｒｅｉｇｎ  Ａｇｅｎｔ；ＦＡ）に登録をすれば、ＦＡは、モバイルノードに、一時に使用するＩＰアドレスを割り当てる。モバイルノードに伝達するデータグラム（ｄａｔａｇｒａｍ）は、ＨＡがカプセル化した後、ＨＡからＦＡへのトンネルを通じてＦＡに伝達される。ＦＡは、それを受けた後、逆カプセル化してモバイルノードに伝達する。
【００２０】
ここで、カプセル化（Ｃａｐｓｕｌａｔｉｏｎ）は、送信目的地までデータを伝送するために、中間にＩＰデータグラムの住所を一時的に再指定する方式をいい、トンネリング（Ｔｕｎｎｅｌｉｎｇ）とも言う。データの伝送および認証は、モバイルノードが信号を送信する場合、ＰＤＳＮ（ＦＡ）を通じてＡＡＡサーバーで認証過程を行って承認を得た後、データをＰＤＳＮ（ＦＡ）からＰＤＧＮ（ＨＡ）に送信してインターネットまたはイントラネットに接続する過程を含む。
【００２１】
一方、前述したモバイルノードは、自分のＩＰアドレスを変更しないでアクセスポイント（基地局）に移動することができるクライアント装備を言う。このようなクライアント装備は移動端末機機能を含む。また、トンネルはＦＡとＨＡ間にモバイルノードの認証過程を経て形成されたルートを言う。データグラムは、パケットネットワークを通じてルーティング(routing)される情報を伝達するための伝達情報を含む一つのパケットを言う。ＨＡは、モバイルノードのために、現在の移動性結合（Ｍｏｂｉｌｉｔｙ  Ｂｉｎｄｉｎｇｓ）のテーブルは維持しながら現在のサブセットからほかのサブセットに移動する時に連結できるようにデータグラムをカプセル化する。ＦＡは、モバイルノードが新しい基地局に移動した時、自分のサブセットに入るように仮想トンネルを構成する終端点の機能をする。
【００２２】
図５はモバイルＩＰの移動性結合過程を説明するための図である。
【００２３】
図５を参照すれば、モバイルＩＰサービスは、移動性を保障するために、一時ＩＰアドレス設定して、バインディングテーブルによってルーティングする過程を含む。例えば、ＨＡからＡ基地局（１０．３．１．１）に割り当てられたモバイルノード（ＭＮ）のＩＰアドレスは（１．１．１．３）である。モバイルノードがＢ基地局（１０．３１．２．１）に移動すれば、Ｂ基地局（１０．３１．２．１）は、ＨＡからモバイルノードのＩＰアドレス（１．１．１．５）をさらに割り当てられる。また、モバイルノードがＣ基地局（１０．３１．３．１）に移動すれば、Ｃ基地局（１０．３１．３．１）は、ＨＡからモバイルノードのＩＰアドレス（１．１．１．７）をさらに割り当てられる。
【００２４】
この時、ＨＡは、モバイルノードに再び割り当てたＩＰアドレスをバインディングテーブル、すなわち移動結合テーブル２０１によって管理するので、最近に登録した基地局にデータを伝送して基地局間の移動性またはハンドオフを保障する。モバイルＩＰサービスの移動性結合は、通常モバイルノードの住所と依託住所（Ｃａｒｅ  ｏｆ  Ａｄｄｒｅｓｓ；ＣｏＡ）との結合で形成されたテーブル２０１によって管理される。すなわち、移動結合テーブル２０１には、モバイルノードがどこに移動してどんな住所が割り当てられるかについての情報が記録される。一方、モバイルＩＰサービスでは、外部ノードからモバイルノードへの伝送で、いつもＨＡを経るトライルーティング（ｔｒｉｅ  ｒｏｕｔｉｎｇ）問題が発生するので、これを解決するために、バインディングキャッシュ（ｂｉｎｄｉｎｇ  ｃａｃｈｅ）、平滑ハンドオフ（ｓｍｏｏｔｈ  ｈａｎｄ  ｏｆｆ）、スペシャルトンネリング（ｓｐｅｃｉａｌ  ｔｕｎｎｅｌｉｎｇ）などの方法が使用される。
【００２５】
このように、ＣＤＭＡモデムと無線ＬＡＮ装置が搭載された個人情報機器を使用する使用者の場合、無線ＬＡＮ地域では価格の安い無線ＬＡＮを使用し、その以外の地域ではＣＤＭＡモデムを利用してインターネットに接続することができる環境を準備することができる利点がある。
【００２６】
しかし、従来のシームレス垂直ローミングサービスは、ＷＷＡＮ無線装置とＷＬＡＮ無線装置を駆動するために、ＷＷＡＮ無線装置とＷＬＡＮ無線装置をそれぞれ駆動する接続プログラムを含まなければならない。また、従来のＷＷＡＮに使用されるＣＤＭＡ移動通信網接続プログラムは、ＣＤＭＡモデムに対する処理だけが可能であり、かつＳｉｍｐｌｅ  ＩＰに対する処理だけが可能であるようになっている。すなわち、従来の個人情報機器の運営体系（ＯＳ）レベルではＭｏｂｉｌｅ  ＩＰの処理が不可能であった。また、前記のような問題は無線ＬＡＮにおいても同様である。従来の無線ＬＡＮ接続プログラムの場合には、既存のＩＰ（Ｓｉｍｐｌｅ  ＩＰ）のみを支援する。そのうえ、特定の無線ＬＡＮ接続プログラムは、それに相応する無線ＬＡＮカードに対するドライバーとともに別に提供されているため、ほかの無線ＬＡＮなどに利用することが難しかった。
【００２７】
一方、モバイルＩＰを用いる場合、初めに受けたＩＰをどんなネットワークに移動するかにかかわらず使用することができるので、インターネット連結の時、ＶＯＤなどのＵＤＰプロトコルを使用するインターネットサービスを中断しないで利用することができる。たとえば、大部分のインターネットサイトの場合、ログイン状態でＩＰが変わればセションを閉め、再度ログインするように構成されている。このような問題はモバイルＩＰを利用することで解決することができる。このような場合、モバイルＩＰを利用するためには、それぞれのＣＤＭＡモデム、無線ＬＡＮカードおよびこれらのメーカーで支援するドライバーを個人情報機器に設置し、モバイルＩＰ実行プログラムを利用してＣＤＭＡモデムおよび無線ＬＡＮカードを制御するように構成した。
【００２８】
また、従来のモバイルＩＰを用いる方式は、移動通信網用の無線データ接続クライアントプログラムと無線ＬＡＮ用の無線接続クライアントプログラムを別に使わなければならない不便があった。したがって、個人情報機器において一つの制御クライアントプログラムによってこれらの二つの方法を混用することができる方法または装置が要求されている。
【発明の開示】
【発明が解決しようとする課題】
【００２９】
本発明の目的は、移動通信網に接続するためのモデムと無線ＬＡＮに接続するための無線ＬＡＮ装置が搭載された個人情報機器において、前記のような無線モデムと無線ＬＡＮ装置を一つの制御プログラムで統合的に制御してシームレス垂直ローミングを提供する方法を提供することである。
【００３０】
本発明のほかの目的は、ＣＤＭＡモデムなどの無線モデムと無線ＬＡＮ装置が搭載された個人情報機器において、無線モデムと無線ＬＡＮ装置を統合的に制御して個人情報機器でのシームレス垂直ローミングを提供することができる制御クライアントプログラムを提供することである。
【課題を解決するための手段】
【００３１】
前記目的を達成するため、本発明の一観点によれば、無線モデムおよび無線ＬＡＮ（ＷＬＡＮ）装置が搭載された個人情報機器においてシームレス垂直ローミングを制御する方法において、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）クライアントを利用して、接続可能な無線ＬＡＮ内の外部代行者（ＦＡ：Ｆｏｒｅｉｇｎ  Ａｇｅｎｔ）からＩＰアドレスを割り当てられる段階 − 前記ＩＰアドレスは物理階層上に設定されたフィルターに格納され、前記ＦＡによって、現在接続中の無線ＬＡＮのＤＮＳ（Ｄｏｍａｉｎ  Ｎａｍｅ  Ｓｅｒｖｅｒ）に登録される − と；前記ＦＡにモバイルＩＰ（Ｍｏｂｉｌｅ  ＩＰ；ＭＩＰ）要請メッセージを伝送する段階と；前記ＦＡからＭＩＰ通知メッセージを受信する段階と；前記ＦＡにＭＩＰ登録要請メッセージを伝送する段階 − 前記ＦＡはホームエージェント（ＨＡ：Ｈｏｍｅ  Ａｇｅｎｔ）に前記ＭＩＰ登録要請メッセージを伝達し、前記ＨＡから第１ＭＩＰ住所を受信する − と；前記ＦＡから前記第１ＭＩＰ住所を受信する段階 − 前記第１ＭＩＰ住所は前記フィルターに格納され、前記ＦＡは前記第１ＭＩＰ住所を前記ＨＡに登録 − と；前記個人情報機器が前記無線ＬＡＮ地域（Ｈｏｔ  ｓｐｏｔ）を離脱したかを判断する段階と；前記判断結果、前記無線ＬＡＮ地域を離脱したら、前記無線ＬＡＮ装置の駆動を終了すると同時に前記無線モデムの電話接続ネットワーキングを利用して無線網ＬＡＮ内のＰＤＳＮ（Ｐａｃｋｅｔ  Ｄａｔａ  Ｓｅｒｖｉｎｇ  Ｎｏｄｅ）とＰＰＰ（Ｐｏｉｎｔ−ｔｏ−Ｐｏｉｎｔ  Ｐｒｏｔｏｃｏｌ）セションを連結する段階と；前記ＰＤＳＮから第２ＭＩＰ住所を受信する段階 − 前記第２ＭＩＰ住所は前記第１ＭＩＰ住所に相応して前記ＨＡによって割り当てられて前記フィルターに格納され、前記ＰＤＳＮは前記第２ＭＩＰ住所を前記ＨＡに登録する − と；を含む無線モデムと無線ＬＡＮ装置間のシームレス垂直ローミング制御方法を提供する。
【００３２】
好適な実施例において、前記フィルターは、前記無線モデムおよび前記無線ＬＡＮ装置を統合して駆動する制御クライアントプログラムによって設定される。
【００３３】
また、前記フィルターは、前記物理階層と前記物理階層上の上位階層との間で、前記ＦＡまたは前記ＰＤＳＮと前記個人情報機器との間で送受信されるデータパケットまたはＩＰパケットのヘッダー部分を制御する。
【００３４】
また、前記フィルターは、前記物理階層の上に設定された無線ＬＡＮフィルターおよびＭＩＰフィルターを含む。
【００３５】
また、前記ＦＡまたは前記ＰＤＳＮが、前記ＭＩＰ登録要請メッセージ受信する時、ＡＡＡまたはＡＡＡｈに接近認証を要請してそれに対する応答を受ける段階をさらに含む。
【００３６】
本発明のほかの観点によれば、無線モデムおよび無線ＬＡＮ装置が搭載された個人情報機器においてシームレス垂直ローミングを制御する方法において、電話接続ネットワーキングを利用して無線網内のＰＤＳＮとのＰＰＰセションを確立する段階と；前記ＰＤＳＮからホームエージェント（ＨＡ：Ｈｏｍｅ  Ａｇｅｎｔ）通知メッセージを受信する段階と；前記ＰＤＳＮにモバイルＩＰ（Ｍｏｂｉｌｅ  Ｉｎｔｅｒｎｅｔ  Ｐｒｏｔｏｃｏｌ；ＭＩＰ）登録要請メッセージを伝送する段階 − 前記ＭＩＰ登録要請メッセージは外部ＡＡＡ（ＡＡＡｆ）および内部ＡＡＡ（ＡＡＡｈ）を通じて前記ＨＡに伝達される − と；前記ＰＤＳＮから前記ＭＩＰ登録応答メッセージを受信する段階 − 前記ＭＩＰ登録応答メッセージは前記ＨＡによって割り当てられた第１ＭＩＰ住所を含み、前記第１ＭＩＰ住所は物理階層上に設定されたフィルターに格納され、前記ＰＤＳＮは前記第１ＭＩＰ住所を前記ＨＡに登録する − と；前記無線網接続状態で、前記個人情報機器が無線ＬＡＮ地域（Ｈｏｔ  ｓｐｏｔ）にあるかを判断する段階と；前記判断結果、前記個人情報機器が無線ＬＡＮのサービス地域にあると、前記無線モデムの駆動を終了すると同時に前記無線ＬＡＮ装置のＤＨＣＰ（Ｄｙｎａｍｉｃ  Ｈｏｓｔ  Ｃｏｎｆｉｇｕｒａｔｉｏｎ  Ｐｒｏｔｏｃｏｌ）クライアントを利用して前記無線ＬＡＮ内の外部代行者（ＦＡ：Ｆｏｒｅｉｇｎ  Ａｇｅｎｔ）から使用可能なＩＰアドレスを割り当てられる段階 − 前記ＩＰアドレスは前記フィルターに格納され、前記ＦＡによって現在接続中の無線ＬＡＮのＤＮＳ（Ｄｏｍａｉｎ  Ｎａｍｅ  Ｓｅｒｖｅｒ）に登録される − と；前記ＦＡから第２ＭＩＰ住所を受信する段階 − 前記第２ＭＩＰ住所は前記第１ＭＩＰ住所に相応して前記ＨＡによって割り当てられて前記フィルターに格納され、前記ＦＡは前記第２ＭＩＰ住所を前記ＨＡに登録する − と；を含む無線モデムと無線ＬＡＮ装置間のシームレス垂直ローミング制御方法を提供する。
【００３７】
本発明の好適な実施例において、前記フィルターは、前記無線モデムおよび前記無線ＬＡＮ装置を統合して駆動する制御クライアントプログラムによって設定される。
【００３８】
また、前記フィルターは、前記物理階層と前記物理階層上の上位階層との間で、前記ＦＡまたは前記ＰＤＳＮと前記個人情報機器との間で送受信されるデータパケットまたはＩＰパケットのヘッダー部分を制御する。
【００３９】
また、前記フィルターは、前記物理階層上に設定された無線ＬＡＮフィルターおよびＭＩＰフィルターを含む。
【００４０】
また、前記ＦＡまたは前記ＰＤＳＮは、前記ＭＩＰ登録要請メッセージを受信する時、ＡＡＡまたはＡＡＡｆとＡＡＡｈに接近認証を要請し、それに対する応答を受ける段階をさらに含む。
【００４１】
本発明のさらにほかの観点によれば、無線網と無線ＬＡＮ間の自動シームレスローミングを実行するために、無線モデムと無線ＬＡＮ装置を統合して駆動する制御クライアントプログラムが記録されたコンピュータ可読型記録媒体において、前記制御クライアントプログラムは、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）クライアントを利用して、接続可能な無線ＬＡＮ内の外部代行者（ＦＡ：Ｆｏｒｅｉｇｎ  Ａｇｅｎｔ）からＩＰアドレスを割り当てられ − 前記ＩＰアドレスは物理階層上に設定されたフィルターに格納され、前記ＦＡによって、現在接続中の無線ＬＡＮのＤＮＳ（Ｄｏｍａｉｎ  Ｎａｍｅ  Ｓｅｒｖｅｒ）に登録される −；前記ＦＡにモバイルＩＰ（Ｍｏｂｉｌｅ  ＩＰ；ＭＩＰ）要請メッセージを伝送し；前記ＦＡからＭＩＰ通知メッセージを受信し；前記ＦＡにＭＩＰ登録要請メッセージを伝送し − 前記ＦＡはホームエージェント（ＨＡ：Ｈｏｍｅ  Ａｇｅｎｔ）に前記ＭＩＰ登録要請メッセージを伝達し、前記ＨＡから第１ＭＩＰ住所を受信する −；前記ＦＡから前記第１ＭＩＰ住所を受信し − 前記第１ＭＩＰ住所は前記フィルターに格納され、前記ＦＡは前記第１ＭＩＰ住所を前記ＨＡに登録する − ；前記個人情報機器が前記無線ＬＡＮ地域（Ｈｏｔ  ｓｐｏｔ）を離脱したかを判断し；前記判断結果、前記無線ＬＡＮ地域を離脱したら、前記無線ＬＡＮ装置の駆動を終了すると同時に前記無線モデムの電話接続ネットワーキングを利用して無線網ＬＡＮ内のＰＤＳＮ（Ｐａｃｋｅｔ  Ｄａｔａ  Ｓｅｒｖｉｎｇ  Ｎｏｄｅ）とＰＰＰ（Ｐｏｉｎｔ−ｔｏ−Ｐｏｉｎｔ  Ｐｒｏｔｏｃｏｌ）セションを連結し；前記ＰＤＳＮから第２ＭＩＰ住所を受信し − 前記第２ＭＩＰ住所は前記第１ＭＩＰ住所に相応して前記ＨＡによって割り当てられて前記フィルターに格納され、前記ＰＤＳＮは前記第２ＭＩＰ住所を前記ＨＡに登録する一連の過程を実行するための制御クライアントプログラムが記録されたコンピュータ可読型記録媒体を提供する。
【００４２】
本発明のさらにほかの観点によれば、無線網と無線ＬＡＮ間の自動シームレスローミングを実行するために、無線モデムと無線ＬＡＮ装置を統合して駆動する制御クライアントプログラムが記録されたコンピュータ可読の記録媒体において、前記制御クライアントプログラムは、電話接続ネットワーキングを利用して無線網内のＰＤＳＮとのＰＰＰセションを確立し；前記ＰＤＳＮからホームエージェント（ＨＡ：Ｈｏｍｅ  Ａｇｅｎｔ）通知メッセージを受信し；前記ＰＤＳＮにモバイルＩＰ（Ｍｏｂｉｌｅ  Ｉｎｔｅｒｎｅｔ  Ｐｒｏｔｏｃｏｌ；ＭＩＰ）登録要請メッセージを伝送し − 前記ＭＩＰ登録要請メッセージは外部ＡＡＡ（ＡＡＡｆ）および内部ＡＡＡ（ＡＡＡｈ）を通じて前記ＨＡに伝達される −；前記ＰＤＳＮから前記ＭＩＰ登録応答メッセージを受信し − 前記ＭＩＰ登録応答メッセージは前記ＨＡによって割り当てられた第１ＭＩＰ住所を含み、前記第１ＭＩＰ住所は物理階層上に設定されたフィルターに格納され、前記ＰＤＳＮは前記第１ＭＩＰ住所を前記ＨＡに登録する −；前記無線網接続状態で、前記個人情報機器が無線ＬＡＮ地域（Ｈｏｔ  ｓｐｏｔ）にあるかを判断し；前記判断結果、前記個人情報機器が無線ＬＡＮのサービス地域にあると、前記無線モデムの駆動を終了すると同時に前記無線ＬＡＮ装置のＤＨＣＰ（Ｄｙｎａｍｉｃ  Ｈｏｓｔ  Ｃｏｎｆｉｇｕｒａｔｉｏｎ  Ｐｒｏｔｏｃｏｌ）クライアントを利用して前記無線ＬＡＮ内の外部代行者（ＦＡ：Ｆｏｒｅｉｇｎ  Ａｇｅｎｔ）から使用可能なＩＰアドレスを割り当てられ − 前記ＩＰアドレスは前記フィルターに格納され、前記ＦＡによって現在接続中の無線ＬＡＮのＤＮＳ（Ｄｏｍａｉｎ  Ｎａｍｅ  Ｓｅｒｖｅｒ）に登録される −；前記ＦＡから第２ＭＩＰ住所を受信し − 前記第２ＭＩＰ住所は前記第１ＭＩＰ住所に相応して前記ＨＡによって割り当てられて前記フィルターに格納され、前記ＦＡは前記第２ＭＩＰ住所を前記ＨＡに登録する一連の過程を実行させるための制御クライアントプログラムが記録されたコンピュータ可読型記録媒体を提供する。
【発明の効果】
【００４３】
本発明によれば、携帯情報機器に搭載された一つのプログラムで異種ネットワーク間の接続を実行することができる。
【００４４】
本発明によれば、使用者がクライアントプログラムを実行させれば、クライアントは現存のネットワークが移動通信網であるかまたは無線ＬＡＮ地域であるかを判断して接続することができる。したがって、使用者はより簡便に無線データ網に接続して無線データサービスを利用することができる。
【００４５】
本発明によれば、使用者の選択で所望のネットワークを獲得するか、あるいは移動通信網または無線ＬＡＮ地域を自動に獲得する機能を付与することにより、別途の作業なしに、自動に所望のネットワークを獲得する異種ネットワーク間の接続プログラムを提供することができる。
【発明を実施するための最良の形態】
【００４６】
つぎに、添付図面を参照して本発明の望ましい実施例を詳しく説明する。
【００４７】
図６は本発明の望ましい一実施例によるシームレス垂直ローミング制御方法を適用することができる個人情報機器の構成を概略的に示す図である。
【００４８】
図６を参照すれば、本発明による個人情報機器は、移動通信端末３０３が結合されたノートブック３０１を含む。また、個人情報機器は、移動通信モジュール３０５および無線ＬＡＮモジュール３０７が搭載されたノートブック３０１またはＰＤＡ３０９を含む。また、個人情報機器は、移動通信モジュール３０５と無線ＬＡＮモジュール３０７を駆動させる制御クライアントプログラムを含む。一方、移動通信モジュール３０５と無線ＬＡＮモジュール３０７は外装型で、ＰＣＭＣＩＡ、ＵＳＢ、Ｓｅｒｉａｌ  Ｐｏｒｔなどのインターフェースを通じてノートブック３０１、ＰＤＡ３０９などの個人情報機器に結合されることができる。
【００４９】
このように、本発明においては、移動通信モデムと無線ＬＡＮ装置が装着された個人情報機器において一つの接続プログラムを利用して広域通信網または無線ＬＡＮに接続することが可能である。また、本発明においては、一つの制御プログラムを利用して広域通信網および無線ＬＡＮにそれぞれ接続するだけでなく、これらのシームレス垂直ローミングを制御する。
【００５０】
すなわち、従来の方式においては、移動通信網のみ存在する地域では移動通信モデムまたは移動通信モジュールの自体接続プログラムまたは電話接続ネットワーキングを利用して移動通信網に接続した。また、無線ＬＡＮが存在する地域では、認証が不要な場合、自体接続が可能であり、認証が必要な場合、専用接続プログラムを通じて無線ＬＡＮに接続した。しかし、本発明によれば、移動通信モデム用接続プログラムと無線ＬＡＮ装置用接続プログラムを統合することにより、一つの制御プログラムで二つの装置を統合して制御する。このような構成によれば、個人情報機器において異種ネットワーク間のハンドオフ処理が容易である。また、無線ＬＡＮ地域の場合、無線ＬＡＮのアクセスポイント（Ａｃｃｅｓｓ  Ｐｏｉｎｔ）の信号を周期的に探索して、移動通信網から無線ＬＡＮに自動接続することが可能である。また、モバイルＩＰ（Ｍｏｂｉｌｅ  ＩＰ）またはＩＰｖ６などのサービスが始まる時、これに対して統合適用が可能である。また、本発明によれば、シームレス垂直ローミングサービスのための使用者インターフェースを通じて、無線ＬＡＮの状態、移動通信網の状態などを直接確認することができる。
【００５１】
図７は本発明の望ましい一実施例によるシームレス垂直ローミングサービスのための使用者インターフェースを示す図である。
【００５２】
図７を参照すれば、本発明による使用者インターフェース４０１は、異種間のネットワーク機能を全て受容するための部分でなる。すなわち、使用者インターフェース４０１は、ＩＤおよびパスワード（ＩＤ／ＰＷ）入力部４０３、機能設定部４０５、無線ＬＡＮ状態表示部４０７、ＣＤＭＡ移動通信網状態表示部４０９、無線ＬＡＮドライバー設定部４１１、およびＣＤＭＡ移動通信モデムドライバー設定部４１３を含む。このような使用者インターフェース４０１は個人情報機器の運営体系レベルの応用プログラムで、以下に説明するＷＬＡＮフィルター部分とＭＩＰフィルター（モデムフィルター）部分の設定を主に担当する。
【００５３】
前述したＩＤ／ＰＷ入力部４０３は、運営体系レベルの応用プログラムで個人情報機器または使用者の権限などを認証して、個人情報機器が通信網に接続するようにする。機能設定部４０５は、各種機能を設定するための下位メニューを含む。例えば、下位メニューは、認証方法、接続方法、機能設定、無線ＬＡＮカード設定、移動通信モデム設定などのための項目および機能を含む。
【００５４】
また、使用者インターフェース４０１の無線ＬＡＮ状態表示部４０７は、無線ＬＡＮの信号強度、ＳＳＩＤ（Ｓｕｂｓｙｓｔｅｍ  Ｉｄｅｎｔｉｆｉｃａｔｉｏｎ）などの状態が個人情報機器の所定画面に表示されるようにする機能を含む。ＣＤＭＡ移動通信網状態表示部４０９は、無線ＬＡＮ状態表示部４０７と同様に、移動通信網の信号強度、ＳＳＩＤなどの状態が個人情報機器の所定画面に表示されるようにする機能を含む。無線ＬＡＮドライバー設定部４１１およびＣＤＭＡ移動通信モデムドライバー設定部４１３は、無線ＬＡＮドライバーまたは移動通信モデムドライバーなどをそれぞれ選択して登録する機能を含む。
【００５５】
図８は本発明の望ましい一実施例による個人情報機器のシームレス垂直ローミングを制御するためのプロトコルスタックを示す図である。
【００５６】
図８を参照すれば、本発明による個人情報機器としてのモバイル端末（ＭＳ：Ｍｏｂｉｌｅ  Ｓｔａｔｉｏｎ）５０１は、従来の基本的なプロトコルスタックに加えて、物理的な階層５０３、５０４上で、より具体的にはデータリンク階層５０５、５０６上で、上位階層５１５側に伝達されるＩＰパケットを制御することができるフィルター５０７をさらに含む。本発明において、フィルター５０７は、無線ＬＡＮ側のアクセスポイント５２１の無線用物理階層４２３に結合されるＷＬＡＮフィルター５０７ａおよび広域通信網または移動通信網側の基地局（ＢＳ）／交換器（ＭＳＣ）／ＰＣＦ（Ｐｏｉｎｔ  Ｃｏｏｒｄｉｎａｔｉｏｎ  Ｆｕｎｃｔｉｏｎ）５３１の空中リンク階層５３３に結合されるＭＩＰフィルター５０７ｂを含む。
【００５７】
前述したプロトコルスタックにおいて、ＭＩＰフィルター５０７ｂは、図８に示すように、ＰＰＰセションを確立する機能を担当するために、ＰＰＰ階層５０９の下位に位置する。このような構成によって、ＭＩＰフィルター５０７ｂはＩＰおよびＰＰＰパケットに対する変形／変換機能を担当する。ＷＬＡＮフィルター５０７ａは、ＮＤＩＳ（Ｎｅｔｗｏｒｋ  Ｄｒｉｖｅｒ  Ｉｎｔｅｒｆａｃｅ  Ｓｐｅｃｉｆｉｃａｔｉｏｎ）階層５１０の下位に位置して、ＤＨＣＰクライアントの役目まで総括して担当する。
【００５８】
前記のように構成したことは、現在の個人情報機器の運営体系カーネル段でモバイルＩＰを処理することができないから、個人情報機器で自らモバイルＩＰを処理するようにするためである。すなわち、一般のモバイルＩＰの処理は、既存のＩＰの処理に加えて、幾つかの手順をさらに加えれば良い。しかし、個人情報機器の運営体系レベルによって提供するネットワークドライバーではモバイルＩＰを処理することができない。したがって、本発明においては、ＰＰＰ／ＮＤＩＳ階層５０９／５１０の下位にフィルター５０７ａ、５０７ｂを配置してＩＰパケットを変換させる役目をする。
【００５９】
このように、本発明によるフィルター５０７は、物理階層５０３、５０４およびデータリンク階層５０５、５０６からネットワーク階層５０９、５１０、トランスポート階層５１１、セション階層５１３および上位プロトコル階層５１５に、あるいはその逆に伝達されるＩＰパケットの制御によって、いろいろの機能をする。例えば、認証に失敗した場合、フィルターを利用して、物理階層５０３、５０４に伝達されるパケットを防いで使用不可能にすることができる。また、モバイルＩＰの適用またはＩＰｖ６の適用時、ほかのプロトコルスタックを有するパケットを該当パケットに変換させることができる。このような機能により、特定プロトコルスタックまたは特定機能を支援しない運営体系または応用プログラムが搭載された個人情報機器を異種ネットワークで便利に使用することができる。また、認証機能の場合においても、本発明によるフィルター５０７を利用して、認証プロトコルの動作を可能にすることができる。
【００６０】
図９は本発明の望ましい一実施例による個人情報機器におけるシームレス垂直ローミング制御方法を概略的に示すフローチャートである。
【００６１】
図９を参照すれば、移動通信モデムおよび無線ＬＡＮ装置が搭載された個人情報機器を使用する使用者がネットワーク接続プログラムを実行させれば、そのプログラムは、ネットワークを検索して無線ＬＡＮ状態と移動通信網状態をチェックする（ステップ６０１）。
【００６２】
使用者がプログラムの設定を自動選択にしておいた場合、プログラムは、使用者が設定した優先順位にしたがって、移動通信網に接続するかそれとも無線ＬＡＮに接続するかを決めることになる（ステップ６０３）。本実施例では、無線ＬＡＮに優先順位を設定する（ステップ６０５）。この時、選択したネットワークの信号が選択基準を満たしていない時は、優先順位の低いネットワークを獲得することができる。移動通信網のみ存在するかあるいは無線ＬＡＮのみ存在する場合には、当該ネットワークを獲得して接続することになる（ステップ６０７、ステップ６１３）。
【００６３】
また、移動通信モデムまたは無線ＬＡＮ装置を利用して通信サービスを利用する（ステップ６０９、ステップ６１５）中に、少なくとも二つのネットワーク信号強度の変化によるローミング条件が成立されれば、現在使用中のネットワークと同一ネットワークへの水平ローミングまたは現在使用中のネットワークとは違うネットワークへの垂直ローミングを実行する（ステップ６１１、ステップ６１７）。一方、使用中のネットワークを逃すことになれば、ネットワーク検索（ステップ６０１）からさらに始めることになる（ステップ６２１）。一方、ネットワークが自動選択されるように設定されなければ、使用者は直接移動通信モデムまたは無線ＬＡＮを選択して所望ネットワークに接続することができる（ステップ６１９）。また、使用者の接続プログラム終了時には、正常のリリース（Ｒｅｌｅａｓｅ）手順を経た後、ログオフ（ｌｏｇ  ｏｆｆ）をすることで、プログラムの動作が終了する（ステップ６２３）。
【００６４】
つぎに、図１０および図１１を参照して、前述した無線ＬＡＮから移動通信網（ＣＤＭＡ網）へのローミングとその逆のローミングについて説明する。以下で説明する本発明のローミングアルゴリズムは、アクセスポイントの信号強度を用いて無線ＬＡＮを優先的に自動接続するようになる。
【００６５】
図１０は本発明の望ましい一実施例による無線ＬＡＮからＣＤＭＡ網への垂直ローミング過程を概略的に示すフローチャートである。
【００６６】
図１０を参照すれば、まず個人情報機器が、無線ＬＡＮ初期動作時、ＤＨＣＰを利用して、現在属しているネットワークで使用可能なＩＰを受ける（ステップ７０１）。このＩＰを利用して、プログラムに予め設定されているホームエージェント（ＨＡ）にモバイルＩＰ（Ｍｏｂｉｌｅ  ＩＰ）付与要請をする（ステップ７０３）。ＨＡからＭｏｂｉｌｅ  ＩＰを受けた後、インターネットなどの通信サービスを用いる（ステップ７０５、ステップ７０７）。
【００６７】
その後、無線ＬＡＮ地域（Ｈｏｔ  ｓｐｏｔ）を離脱すると（ステップ７０９）、個人情報機器は、無線ＬＡＮドライバーを終了すると同時にモデムを利用してＰＰＰセションを確立する（ステップ７１１）。そして、Ｍｏｂｉｌｅ  ＩＰをＨＡに要請する（ステップ７１３）。この時、Ｍｏｂｉｌｅ  ＩＰの要請は、以前に無線ＬＡＮから受けたＭｏｂｉｌｅ  ＩＰを利用してＳｔａｔｉｃ  Ｍｏｂｉｌｅ  ＩＰを要請する。こうして、ＨＡからＳｔａｔｉｃ  Ｍｏｂｉｌｅ  ＩＰを受ける（ステップ７１５）。このような過程によって、個人情報機器、すなわち端末機の立場で見れば、個人情報機器はＩＰの変化なしにローミングされる（ステップ７１７）。
【００６８】
一方、特定無線ＬＡＮ地域からほかの無線ＬＡＮ地域への移動時には、無線ＬＡＮドライバー動作を終了しないで、図１０の過程と同様に、ＤＨＣＰクライアント動作からさらに始めてＭｏｂｉｌｅ  ＩＰを再登録することで、自動ローミングされることができる。
【００６９】
図１１は本発明の望ましい一実施例によるＣＤＭＡ網から無線ＬＡＮへの垂直ローミング過程を概略的に示すフローチャートである。
【００７０】
図１１を参照すれば、ＣＤＭＡ網で動作中の無線ＬＡＮへのローミングは、図１０の手順と同様に、個人情報機器が電話接続ネットワーキングを利用してＣＤＭＡ網にＰＰＰセションを確立する段階から始まる（ステップ８０１）。ついで、ＣＤＭＡ網に、より具体的にはＣＤＭＡ網に結合されたＨＡにＭｏｂｉｌｅ  ＩＰを要請する（ステップ８０３）。そして、ＨＡからＭｏｂｉｌｅ  ＩＰを受ける（ステップ８０５）。受けたＭｏｂｉｌｅ  ＩＰを利用して通信サービスに接続する（ステップ８０７）。
【００７１】
その後、無線ＬＡＮ地域に移動すれば（ステップ８０９）、個人情報機器は、ＤＨＣＰクライアントを利用して、当該ネットワークで使用可能なＩＰを受ける（ステップ８１１）。前記ステップ８１１の実行と同時にＣＤＭＡモデムを終了（Ｒｅｌｅａｓｅ）する（ステップ８１３）。ＤＨＣＰクライアントを利用してＩＰを受けた後、以前のＣＤＭＡモデムで使ったＭｏｂｉｌｅ  ＩＰを利用して、Ｓｔａｔｉｃ  Ｍｏｂｉｌｅ  ＩＰをＣＤＭＡモデムで使ったＨＡに要請する（ステップ８１５）。そして、ＨＡによってＳｔａｔｉｃ  Ｍｏｂｉｌｅ  ＩＰが割り当てられる（ステップ８１７）。このような過程によって、個人情報機器の立場で見れば、個人情報機器はね以前に使用したＩＰを続いて使用して以前作業を継続する（ステップ８１９）。
【００７２】
図１２は本発明の望ましい一実施例による無線ＬＡＮからＣＤＭＡ網へのシームレス垂直ローミングに対する信号処理過程を示す信号流れ図である。
【００７３】
図１２を参照すれば、無線ＬＡＮ地域内にある個人情報機器がアクセスポイント（ＡＰ）に接近すれば、ＡＰはＦＡに個人情報機器の接続要請メッセージを伝達し、ＦＡはそれをＡＡＡに伝達する（ステップ９０１）。そして、ＦＡはＡＡＡから接続許容メッセージを受信し、それをＡＰに伝達する（ステップ９０３）。
【００７４】
その後、個人情報機器は、ＤＨＣＰクライアントを使用して、当該網で使用可能なＳｉｍｐｌｅ  ＩＰアドレスをＦＡによって割り当てられる（ステップ９０５）。この時、ＦＡは割り当てられたＳｉｍｐｌｅ  ＩＰアドレスをドメインネームサーバー（ＤＮＳ）に登録する（ステップ９０７）。このように、Ｓｉｍｐｌｅ  ＩＰ段階は、個人情報機器がＡＡＡから認証を受けた後、ＤＨＣＰクライアントを通じて、該当のネットワークで使用可能なＳｉｍｐｌｅ  ＩＰアドレスを割り当てられることになる（ステップ９０１〜ステップ９０７）。
【００７５】
その後、本発明による個人情報機器では、Ｓｉｍｐｌｅ  ＩＰを割り当てられる部分までの呼処理が終わった後、さらにＭｏｂｉｌｅ  ＩＰ（ＭＩＰ）を割り当てられるための過程に入る。具体的に、個人情報機器は、ＦＡにＭＩＰ要請（ｓｏｌｉｃｉｔａｔｉｏｎ）メッセージを伝送する（ステップ９１１）。そして、ＦＡからＭＩＰ通知（Ａｄｖｅｒｔｉｓｅｍｅｎｔ）メッセージを受信する（ステップ９１３）。そして、個人情報機器は、ＦＡにＭＩＰ登録要請（Ｒｅｇｉｓｔｒａｔｉｏｎ  Ｒｅｑｕｅｓｔ）メッセージを伝送する（ステップ９１５）。そして、ＦＡはＡＡＡとの認証過程（ステップ９１７およびステップ９１９）を経た後、ＨＡからＭＩＰ住所を割り当てられて（ステップ９２１およびステップ９２３）、個人情報機器にＭＩＰ住所を伝達する（ステップ９２５）。この時、ＦＡはＤＮＳに個人情報機器のＭＩＰ住所を登録する（ステップ９２７）。
【００７６】
このように、本発明による制御クライアントプログラムまたは接続プログラムは、実質的にＳｉｍｐｌｅ  ＩＰ処理以後にＭｏｂｉｌｅ  ＩＰを処理するためにパケットを変換させる役目をする。特に、前述したＭｏｂｉｌｅ  ＩＰの処理手順はＳｉｍｐｌｅ  ＩＰの処理過程以後に加わる部分であり、Ｓｉｍｐｌｅ  ＩＰ処理は既存の無線ＬＡＮのドライバー（Ｄｒｉｖｅｒ）で処理する部分で、フィルターで別途の変換または変化なしに処理され、以後のＭｏｂｉｌｅ  ＩＰの処理でフィルターが適切に作用して処理することになる。
【００７７】
また、個人情報機器のドライバー段階に登録されるＩＰはＭｏｂｉｌｅ  ＩＰになる。また、ＤＨＣＰクライアントから受けたＩＰはフィルター部分に格納される。このような構成によって、Ｍｏｂｉｌｅ  ＩＰ処理過程で伝送されるすべてのデータパケットに対してＩＰヘッダー部分をＭｏｂｉｌｅ  ＩＰプロトコルに合わせて変形させる作業とＦＡを経て伝送されるパケットに対する変形作業によって既存の運営体系でもＭｏｂｉｌｅ  ＩＰを処理するようにする。
【００７８】
図１３はＣＤＭＡ網でのモバイルＩＰの信号処理過程を示す信号流れ図である。
【００７９】
図１３を参照すれば、ＣＤＭＡ網でのＳｉｍｐｌｅ  ＩＰは、ＬＣＰ、ＩＰＣＰを通じてＰＰＰセションを確立した後、システムから通知（Ａｄｖｅｒｔｉｓｅｍｅｎｔ）メッセージを受けた後、Ｍｏｂｉｌｅ  ＩＰ機能をする（ステップ１００１〜ステップ１００５）。既存の移動通信モデムドライバーはこの機能に対する処理が不可能であるので、本発明による制御クライアントプログラムでは、Ｍｏｂｉｌｅ  ＩＰ処理ができるようにパケットを変造／生成する。本発明による制御クライアントプログラムのフィルター部分でパケット変造によって処理する部分は、ステップ１００７以後の全ステップ（ステップ１００７〜ステップ１０２７）に相当する。このような処理過程は、その基本形式において、無線ＬＡＮでの処理過程とほとんど同一である。
【００８０】
すなわち、ＰＰＰセションを確立した以後のＭｏｂｉｌｅ  ＩＰ処理過程は、図１０に示すように、まずモバイルクライアント（Ｍｏｂｉｌｅ  Ｃｌｉｅｎｔ；ＭＣ）がＰＤＳＮ（Ｐａｃｋｅｔ  Ｄａｔａ  Ｓｅｒｖｉｎｇ  Ｎｏｄｅ）から無線網（Ｒａｄｉｏ  Ｎｅｔｗｏｒｋ；ＲＮ）を通じてエージェント通知（Ａｇｅｎｔ  Ａｄｖｅｒｔｉｓｅｍｅｎｔ）メッセージを受信することで始まる（ステップ１００７）。ホームエージェント住所を受信したＭＣは、ＰＤＳＮにＭＩＰ登録要請メッセージを伝送する（ステップ１００９）。
【００８１】
その後、ＭＣからＭＩＰ登録要請メッセージを受信したＰＤＳＮはＡＡＡｆ（ｆｏｒｅｉｇｎ  Ａｕｔｈｅｎｔｉｃａｔｉｏｎ、  Ａｕｔｈｏｒｉｚａｔｉｏｎ  ａｎｄ  Ａｃｃｏｕｎｔｉｎｇ）にモバイルノード要請（ＡＡＡ−Ｍｏｂｉｌｅ  Ｎｏｄｅ−Ｒｅｑｕｅｓｔ）メッセージを伝送する（ステップ１０１１）。ＡＡＡｆはそれをＡＡＡｈ（ｈｏｍｅ  ＡＡＡ）に伝達する（ステップ１０１３）。ＡＡＡｈはホームエージェント（ＨＡ）にモバイルＩＰ要請（ＨＡ−Ｍｏｂｉｌｅ  ＩＰ−Ｒｅｑｕｅｓｔ）メッセージを伝送する（ステップ１０１５）。
【００８２】
ＭＩＰ要請メッセージを受信したＨＡは、その応答（ＨＡ−Ｍｏｂｉｌｅ  ＩＰ−Ａｎｓｗｅｒ）メッセージをＡＡＡｈに伝送する（ステップ１０１７）。ＡＡＡｈはＡＡＡｆにモバイルノード応答（ＡＡＡ−Ｍｏｂｉｌｅ  Ｎｏｄｅ−Ａｎｓｗｅｒ）メッセージを伝送する（ステップ１０１９）。ＡＡＡｆはそれをさらにＰＤＳＮに伝達する（ステップ１０２１）。
【００８３】
その後、ＰＤＳＮは、ＭＣに、ＭＩＰ登録要請に対する応答（ＭＩＰＲｅｇｉｓｔｒａｔｉｏｎＲｅｐｌｙ）メッセージを伝送する（ステップ１０２３）。このような過程によって、ＭＣはＰＰＰセションを利用してデータをを送受信する（ステップ１０２５）。この時、使用者データは、ＡＡＡｈによって別途の認証過程を経ることができる（ステップ１０２７）。
【００８４】
図１４は一般のＩＰ  ｉｎ  ＩＰカプセル化過程のためのデータフォーマットを示す図である。また、図１５は一般の最小カプセル化過程のためのデータフォーマットを示す図である。
【００８５】
図１４および図１５を参照すれば、本発明による個人情報機器は、依託住所（ＣＯＡ）形式のＭｏｂｉｌｅ  ＩＰを使用する場合のほかに、場合によって、共存依託住所（Ｃｏ−ｌｏｃａｔｅｄ  Ｃａｒｅ  ｏｆ  Ａｄｄｒｅｓｓ）形式のＭｏｂｉｌｅ  ＩＰを使用することができる。このような場合、本発明による個人情報機器は、図１４のように、カプセル化（ｅｎｃａｐｓｕｌａｔｅ）またはトンネリング（ｔｕｎｎｅｌｉｎｇ）方式の一種であるＩＰ  ｉｎ  ＩＰなどのＦＡ役目をする機能を含む。
【００８６】
前述したＣＯＡの場合、初期Ｍｏｂｉｌｅ  ＩＰ設定過程を除いた実際データパケットは、Ｓｉｍｐｌｅ  ＩＰパケットと同一に処理される。すなわち、ＣＯＡは、図１４のようなＩＰ  ｉｎ  ＩＰ処理過程がＦＡおよびＨＡで行われる。そして、ＣＯＡの場合、ＦＡは、Ｍｏｂｉｌｅ  ＩＰとＳｉｍｐｌｅ  ＩＰに対するマッピングテーブル（Ｍａｐｐｉｎｇ  ｔａｂｌｅ）を具備する。
【００８７】
しかし、ＣＣＯＡの場合、Ｍｏｂｉｌｅ  ＩＰ設定まではＣＯＡと処理過程が似ており、パケットの送受信時、図１５のようなＦＡの処理過程を個人情報機器で行うようになる。したがって、ＣＣＯＡの場合、ＩＰ  ｉｎ  ＩＰの処理が個人情報機器で行われる。このように、個人情報機器で一般のＩＰパケットを変換する場合は、ＣＣＯＡ方式の場合に発生する。勿論、前述した本発明のフィルターまたはプログラムは、ＣＣＯＡ方式でＩＰ  ｉｎ  ＩＰカプセル化処理も可能である。これは、本明細書に記載された内容から、当業者に明らかであるので、その具体的な説明は省略する。
【００８８】
一方、前述した実施例では、無線モデムの一つのＣＤＭＡモデムを例として説明した。しかし、本発明はＣＤＭＡモデムに限定されない。例えば、本発明は、Ｗ−ＣＤＭＡなどの無線モデムと無線ＬＡＮカードが装着された移動通信端末にも適用することができる。
【００８９】
本発明は前記実施例に限定されなく、多くの変形が本発明の思想内で当業者によって可能であることは勿論である。
【図面の簡単な説明】
【００９０】
【図１】従来の無線広域網（ＷＷＡＮ）、無線ＬＡＮ（ＷＬＡＮ）および無線個人補助ネットワーク（ＷＰＡＮ）間の論理的連結の自動転換としてのシームレス垂直ローミング（ＳＶＲ）を概略的に示す図である。
【図２】従来の無線広域網の一例を示す図である。
【図３】従来のシームレス垂直ローミング手順を説明するための図である。
【図４】モバイルＩＰでのデータの伝送および認証手順を示す図である。
【図５】モバイルＩＰでの移動性結合過程を説明するための図である。
【図６】本発明の望ましい一実施例によるシームレス垂直ローミング制御方法を適用することができる個人情報機器の構成を概略的に示す図である。
【図７】本発明の望ましい一実施例による運営体系レベルの応用プログラムの使用者インターフェースを示す図である。
【図８】本発明の望ましい一実施例による個人情報機器のシームレス垂直ローミングを制御するためのプロトコルスタックを示す図である。
【図９】本発明の望ましい一実施例による個人情報機器での垂直ローミング制御方法を概略的に示すフローチャートである。
【図１０】本発明の望ましい一実施例による無線ＬＡＮからＣＤＭＡ網への垂直ローミング過程を概略的に示すフローチャートである。
【図１１】本発明の望ましい一実施例によるＣＤＭＡ網から無線ＬＡＮへの垂直ローミング過程を概略的に示すフローチャートである。
【図１２】本発明の望ましい一実施例による無線ＬＡＮから無線網へのシームレス垂直ローミングに対する信号処理過程を示す信号流れ図である。
【図１３】図２の無線網でのモバイルＩＰの信号処理過程を示す信号流れ図である。
【図１４】一般のＩＰ  ｉｎ  ＩＰカプセル化過程のためのデータフォーマットを示す図である。
【図１５】一般の最小カプセル化過程のためのデータフォーマットを示す図である。
【図１】
2007520903.tif 000003
【図２】
2007520903.tif 000004
【図３】
2007520903.tif 000005
【図４】
2007520903.tif 000006
【図５】
2007520903.tif 000007
【図６】
2007520903.tif 000008
【図７】
2007520903.tif 000009
【図８】
2007520903.tif 000010
【図９】
2007520903.tif 000011
【図１０】
2007520903.tif 000012
【図１１】
2007520903.tif 000013
【図１２】
2007520903.tif 000014
【図１３】
2007520903.tif 000015
【図１４】
2007520903.tif 000016
【図１５】
2007520903.tif 000017
【国際調査報告】
2007520903.tif 000018
2007520903.tif 000019